(57)【要約】【課題】組立てが容易で、しかも携帯用電話機に適用することによって、大幅なコストダウンが期待できる電気音響変換器を提供する。【解決手段】両端に開口部を有する筒状のフレーム主体１内に、ヨーク１１、マグネット１２およびトッププレート１４からなる磁気回路を配置し、この磁気回路に形成されたギャップ１３内に保持されたボイスコイル１５の先端部を、外周部をフレーム主体１に固着したダイヤフラム１７の裏面部に連結固定させ、フレーム主体１の各開口部にそれぞれ放音孔を有するカバー部材７，８を装着して電気音響変換器１０とし、ダイヤフラム１７の前面側を着信用スピーカ部、背面側を受話用レシーバ部としてフレーム主体１を携帯電話機本体内に組込み、着信信号が印加されるとスピーカとして作動し、受話信号が印加されるとレシーバとして作動させる。【選択図】        図１
2004179701.tif 000002
【特許請求の範囲】
【請求項１】
両端部に開口部を有する筒状のフレーム主体内に、ヨーク、マグネットおよびトッププレートからなる磁気回路を配置するとともに、
この磁気回路に形成されたギャップ内に保持されたボイスコイルの先端部を、外周部をフレームに固着したダイヤフラムの裏面部に連結固定させ、
前記フレーム主体の各開口部にそれぞれ放音孔を有するカバー部材を装着し、
前記ダイヤフラムの前面側を着信用スピーカ部とし、背面側を受話用レシーバ部として前記フレーム主体を携帯電話機本体内に組込み、
着信信号が印加されるとスピーカとして作動し、受話信号が印加されるとレシーバとして作動するよう構成したこと
を特徴とする電気音響変換器。
【請求項２】
前記フレーム主体は、
内周壁に、中心部にヨークを固着するための透孔を有するリング状の取付板を一体的に設けるとともに、この取付板の所要部位に、上下方向に貫通する複数の放音孔を形成したこと
を特徴とする請求項１に記載の電気音響変換器。
【請求項３】
前記取付板は、
内周壁の中央部に配置し、受話用レシーバ部の容積を変化させることによって受話用レシーバ部の高域再生周波数を変化させること
を特徴とする請求項２に記載の電気音響変換器。
【請求項４】
前記フレーム主体は、
外周部の所要部位に、外部入力信号を入力するための端子部が一体的に設けられていること
を特徴とする請求項１に記載の電気音響変換器。
【請求項５】
前記フレーム主体は、
受話用レシーバ部が位置する開口部に形成する放音孔の数を、変化させることによって受話用レシーバ部の高域再生周波数を変化させること
を特徴とする請求項１に記載の電気音響変換器。
【発明の詳細な説明】
【０００１】
【発明の属する技術分野】
この発明は、レシーバとスピーカとが一体化された携帯電話機に適用する電気音響変換器に関するものである。
【０００２】
【従来の技術】
携帯電話機は、一般的には、着信音を発生させるスピーカと、音声信号を再生させるレシーバを有し、スピーカを電話機本体の外側に、レシーバを電話機本体の内側（表示面および操作部を有する面）に向けてそれぞれ独立して設けられている。
【０００３】
この公知の携帯電話機は、着信音用スピーカと受話用レシーバが個々に設置されているため、当然それぞれ別個の磁気回路とフレームを必要とするものであるが、ますます小型化される携帯電話機においては、これら着信音用スピーカと受話用レシーバとを設置するためのスペースの確保が切実な問題となっている。
【０００４】
そこで、特開２００２−５８０９４公報（特許文献１）においては、移動通信端末機の体積と重量を軽減し、磁気回路効率の増加による小型軽量化を図るために、一側から所定の大きさの呼出音を出力するスピーカ部と、他側から所定の大きさの音響を出力するレシーバ部と、前記スピーカ部とレシーバ部を対称的に収容するフレームと、フレームに連結され、電気的な信号が印加されるターミナルとを一体にしたレシーバが結合されたスピーカが提案されている。
【０００５】
【特許文献１】
特開２００２−５８０９４公報
（特許請求の範囲、０００６〜０００８段落、００１２段落など）
【０００６】
【発明が解決しようとする課題】
しかしながら、図３で明らかなように、前記特許文献１に記載のスピーカは、フレームの中央部に配置されるダブルヨークの両面に上部ヨークと下部ヨークとを対称的に形成し、各ヨーク内にそれぞれ永久磁石からなるマグネット、ポールピースからなる磁気回路と、ボイスコイルおよびダイヤフラム（振動板）とを配置したものである。したがって、従来個々に必要としたフレームを一つにした点においては、多少の小型化、軽量化を図ることができるものの、実質的には２つの磁気回路と２つのダイヤフラムを必要とするもので、小型化乃至軽量化の観点からは必ずしも十分なものではない。
【０００７】
この発明はかかる現状に鑑み、より小型化と軽量化のために、一つの磁気回路と、一つのダイヤフラムとでスピーカ機能とレシーバ機能を発揮し、組立てが容易で、しかも携帯用電話機に適用することによって、大幅なコストダウンが期待できる電気音響変換器を提供することを目的としたものである。
【０００８】
【課題を解決するための手段】
前記の目的を達成するため、この発明の請求項１に記載の発明は、
両端部に開口部を有する筒状のフレーム主体内に、ヨーク、マグネットおよびトッププレートからなる磁気回路を配置するとともに、
この磁気回路に形成されたギャップ内に保持されたボイスコイルの先端部を、外周部をフレームに固着したダイヤフラムの裏面部に連結固定させ、
前記フレーム主体の各開口部にそれぞれ放音孔を有するカバー部材を装着し、
前記ダイヤフラムの前面側を着信用スピーカ部とし、背面側を受話用レシーバ部として前記フレーム主体を携帯電話機本体内に組込み、
着信信号が印加されるとスピーカとして作動し、受話信号が印加されるとレシーバとして作動するよう構成したこと
を特徴とする電気音響変換器である。
【０００９】
また、この発明の請求項２に記載の発明は、
請求項１に記載の電気音響変換器において、
前記フレーム主体は、
内周壁に、中心部にヨークを固着するための透孔を有するリング状の取付板を一体的に設けるとともに、この取付板の所要部位に、上下方向に貫通する複数の放音孔を形成したこと
を特徴とするものである。
【００１０】
また、この発明の請求項３に記載の発明は、
請求項２に記載の電気音響変換器において、
前記取付板は、
内周壁の中央部に配置し、受話用レシーバ部の容積を変化させることによって受話用レシーバ部の高域再生周波数を変化させること
を特徴とするものである。
【００１１】
また、この発明の請求項４に記載の発明は、
請求項１に記載の電気音響変換器において、
前記フレーム主体は、
外周部の所要部位に、外部入力信号を入力するための端子部が一体的に設けられていること
を特徴とするものである。
【００１２】
また、この発明の請求項５に記載の発明は、
請求項１に記載の電気音響変換器において、
前記フレーム主体は、
受話用レシーバ部が位置する開口部に形成する放音孔の数を、変化させることによって、受話用レシーバ部の高域再生周波数を変化させること
を特徴とするものである。
【００１３】
【発明の実施の形態】
以下、この発明に係る電気音響変換器の好ましい実施の形態を、添付の図面に基づいて具体的に説明する。
【００１４】
この発明は、携帯電話機本体内に、着信音用スピーカ機能と受話用レシーバ機能とを具備した一つの電気音響変換器を、受話用レシーバ部が液晶画面や操作ボタンなどが設けられた正面側に、着信音用スピーカ部が反対の背面側になるよう配置したものである。
【００１５】
図１は、この発明に係る電気音響変換器の要部の断面図であって、１は両端に開口部を有するプラスチックからなる筒状のフレーム主体で、その内周壁１ａの中央部よりやや上方に、中心部に透孔からなるヨーク装着部２を設けたリング状の取付板３を一体的に形成するとともに、前記ヨーク装着部２と内周壁１ａとの間の取付板３に複数の放音孔４が、所要間隔で均等に、かつ上下方向に貫通させて形成されている。
【００１６】
また、このフレーム主体１の外周壁の所要部位には、接続端子５を有するターミナル６が水平方向に突出するよう一体的に形成され、前記接続端子５に外部信号を入力することによって、後述する電気音響変換器１０を駆動させる。
【００１７】
なお、図１において、７および８は、それぞれ放音孔７ａ，８ａを有するカバー部材であって、フレーム主体１の開口部にそれぞれ装着されるものである。
【００１８】
また、着信音用スピーカ機能と受話用レシーバ機能とを具備した電気音響変換器１０は、前記取付板３のヨーク装着部２に上縁外周部が固着される壺型のヨーク１１と、このヨーク１１の内底部上に配置される永久磁石からなる円柱状のマグネット１２と、このマグネット１２の上面部に配置され、前記ヨーク１１の上部内周部との間に磁気ギャップ１３を形成する円盤状のトッププレート１４からなる磁気回路と、前記取付板３の所要の部位にエッジ１６を介して固定されるダイヤフラム１７と、先端部が前記ダイヤフラム１７の裏面部に連結固着されるとともに、巻線部が前記磁気ギャップ１３内に保持されるボイスコイル１５とから構成されるものである。
【００１９】
かかる電気音響変換器１０は、壺型のヨーク１１の内底面上にマグネット１２を固着したのち、このマグネット１２の上面にトッププレート１４を固着して磁気回路を形成し、磁気回路を構成する前記ヨーク１１の上縁外周部をフレーム主体１の取付板３に形成されたヨーク装着部２に固着し、あらかじめ裏面部にボイスコイル１５の先端部を固着したダイヤフラム１７を、冶具を使用してボイスコイル１５が磁気ギャップ１３内に正確に保持されるように維持しながら、外周縁に貼着されたエッジ１６の外周部を取付板３の所要部位に接着固定する。
【００２０】
しかるのち、フレーム主体１の上下の開口部に、それぞれ放音孔７ａ，８ａを有するカバー部材７，８を装着して電気音響変換器１０としたのち、この電気音響変換器１０を図２に示すように、携帯電話機本体２０の所要部位に取付ける。
【００２１】
その際、電気音響変換器１０のダイヤフラム１７の前面側を着信用スピーカ部とし、背面側を受話用レシーバ部として前記フレーム主体１を携帯電話機本体２０内に組込み、外部入力信号が印加されると、ボイスコイル１５に電流が流れ、ダイヤフラム１７がスピーカとして作動し、着信音がカバー部材７の放音孔７ａを介して外部に流れる。
【００２２】
この着信音を、カバー部材７の放音孔７ａを介して聞いた携帯電話機の所有者が、携帯電話機本体２０の操作部に配置された所定のボタンを操作すると、着信音として、０．３Ｗ程度の入力で作動するボイスコイルが、１０ｍｍＷ程度の入力で作動し、ダイヤフラム１７からの音は、取付板３の形成された放音孔４からカバー部材８の放音孔８ａからカバー部材８に耳部を接していた使用者に流れてレシーバとして作動し、受話音を再生するものである。
【００２３】
かかる構成からなるこの発明の電気音響変換器１０は、ダイヤフラム１７のエネルギーを、その前面部に配置したカバー部材７から直接放射させることによって着信音用スピーカとし、ダイヤフラム１７のエネルギーを、取付板３に形成された放音孔４を介して、背面部に配置したカバー部材８から放射させることによって受話用レシーバとするもので、図１において、取付板３の下方の容積、取付板３に形成される放音孔４の大きさとその数、カバー部材８に形成される放音孔８ａの大きさと数を変化させることによって放射音を変えることができる。
【００２４】
すなわち、着信用スピーカ部側に設けられるカバー部材７は、比較的聴取し易いように放音孔は全面に設けられ、カバー部材８は、中心部に集中して設けられるものであるが、この放音孔の数が少ないと、高域ピーク（一般的には４〜６ＫＨｚ）が低い周波数に、多いと高い周波数に移動することが判明した。
【００２５】
また、受話用レシーバ側の容積を大きく設定すると、高域ピークが低い周波数に、小さくすると高い周波数に移動することが判明したので、これらの比率を求められる性能に応じて変化させることによって、電気音響変換器の性能を変えることができる。
【００２６】
【発明の効果】
この発明の電気音響変換器は、一つの磁気回路と、一つのダイヤフラムとでスピーカ機能とレシーバ機能を発揮するように構成し、この電気音響変換器を携帯電話機本体の所要の部位に配置したので、携帯用電話機の小型化をより推進させることができ、しかも構造が簡単で、組立ても容易であるので、大幅なコストダウンを図ることができる。
【００２７】
特に、この発明においては、両端に開口部を有する筒状のフレーム主体内に、磁気回路を装着するための取付部を設け、この取付部に放音孔を形成し、ダイヤフラムからの音響を、ダイヤフラムの背面側からも放射されるよう形成することによって、一つの磁気回路と、一つのダイヤフラムとでスピーカ機能とレシーバ機能を発揮するので、装置本体を大幅に小型化することができる。
【００２８】
さらに、スピーカ機能とレシーバ機能を奏する部位の容積や、カバー部材に設ける放音孔を変えることによって、簡単かつ容易に電気音響変換器の性能を変化させることができるなど実用上有用な効果を奏するものである。
【図面の簡単な説明】
【図１】この発明に係る電気音響変換器の要部の断面図である。
【図２】この発明に係る電気音響変換器を搭載した携帯用電話機の側面図である。
【符号の説明】
１        フレーム主体
２        ヨーク装着部
３        取付板
４        放音孔
５        接続端子
７，８    カバー部材
１０      電気音響変換器
１１      ヨーク
１２      マグネット
１３      磁気ギャップ
１４      トッププレート
１５      ボイスコイル
１７      ダイヤフラム
【図１】
2004179701.tif 000003
【図２】
2004179701.tif 000004